(57)【要約】【課題】  高周波特性に対する性能を向上させること。【解決手段】  コンタクト１１，２１は、信号コンタクト１１とグランドコンタクト２１とからなり、前記グランドコンタクト２１は一対の前記信号コンタクト１１をペアコンタクトとしたペアコンタクト間に配設されており、前記コンタクト１１，２１の第１接続部１３，２３は２列に配設されており、前記コンタクト１１，２１の第２接続部１５，２５は１列に配設されており、一方の列の前記信号コンタクト１１のペアコンタクト、前記グランドコンタクト２１、他方の列の前記信号コンタクト１１のペア、前記グランドコンタクト２１の順に配列される。【選択図】  図２
2006120345.tif 000002
【特許請求の範囲】
【請求項１】
複数本の導電性のコンタクトと、該コンタクトを保持するインシュレータとを含み、接続対象物と接続するコネクタにおいて、
前記コンタクトは、一方の接続対象物と接続し一端側に形成されている第１接続部と、他方の接続対象物と接続し他端側に形成されている第２接続部とを有し、
前記コンタクトは、信号コンタクトとグランドコンタクトとからなり、
該グランドコンタクトは一対の前記信号コンタクトをペアコンタクトとしたペアコンタクト間に配設されており、
前記第１接続部は、前記コンタクトのピッチ方向と直交する方向で２列に配設されており、第２接続部は、前記コンタクトの前記ピッチ方向と直交する方向で１列に配設されており、
前記第２接続部の前記ピッチ方向の配列において、一方の列の前記信号コンタクトのペア、前記グランドコンタクト、他方の列の前記信号コンタクトのペア、前記グランドコンタクトの順に配列されていることを特徴とするコネクタ。
【請求項２】
請求項１記載のコネクタにおいて、前記グランドコンタクトは、前記グランドコンタクトの前記第１接続部と前記第２接続部とを連結する中間部を有し、複数の前記グランドコンタクトのそれぞれを前記中間部で連結し一体化したことを特徴とするコネクタ。
【請求項３】
請求項１記載のコネクタにおいて、前記グランドコンタクトの前記第１接続部と前記第２接続部とは、前記コンタクトの前記ピッチ方向において、ずれて配置されていることを特徴とするコネクタ。
【発明の詳細な説明】
【技術分野】
【０００１】
本発明は、一対の接続対象物間を接続するコネクタに関する。
【背景技術】
【０００２】
従来のコネクタは、複数本の信号コンタクトＳ、複数本のグランドコンタクトＧ、複数本の一般（低速）用コンタクトＤ、各コンタクトＳ，Ｇ，Ｄを保持するインシュレータ、及び全体を囲むシェルから構成されている。
【０００３】
各コンタクトＳ，Ｇ，Ｄは、Ｓ，Ｓ，Ｇ，Ｓ，Ｓ，Ｇ，Ｓ，Ｓ，Ｄ，Ｄ，Ｄの順に配置されている（例えば、特許文献１を参照）。
【０００４】
また、従来のコネクタとしては、接続部材がモジュラープラグの接続端子と係合するための略Ｕ字状に形成された第１の接触片と入出力コネクタと接続するための第２の接触片と連結部分とを有する中継コネクタがある（例えば、特許文献２を参照）。
【０００５】
【特許文献１】特開２００２−３３４７４８号公報
【特許文献２】特開２０００−１８２７３３号公報
【発明の開示】
【発明が解決しようとする課題】
【０００６】
しかしながら、特許文献１におけるコネクタは、２本の信号コンタクトＳを隣接し、グランドコンタクトＧを単純に組み合わせて配置しているだけであるので、２本の信号コンタクトＳ同士を変換した場合、電気的に対をなしていた２本の信号コンタクトＳとグランドコンタクトＧとの関係が維持できず、差動信号を伝送する高周波特性に対する性能が実現できなくなるという問題がある。
【０００７】
また、特許文献２における中継コネクタは、高周波特性を考慮した接続部材ではない。
【０００８】
それ故に本発明の課題は、高周波特性に対する性能を向上することができるコネクタを提供することにある。
【課題を解決するための手段】
【０００９】
本発明は、複数本の導電性のコンタクトと、該コンタクトを保持するインシュレータとを含み、接続対象物と接続するコネクタにおいて、前記コンタクトは、一方の接続対象物と接続し一端側に形成されている第１接続部と、他方の接続対象物と接続し他端側に形成されている第２接続部とを有し、前記コンタクトは、信号コンタクトとグランドコンタクトとからなり、該グランドコンタクトは一対の前記信号コンタクトをペアコンタクトとしたペアコンタクト間に配設されており、前記第１接続部は、前記コンタクトのピッチ方向と直交する方向で２列に配設されており、第２接続部は、前記コンタクトの前記ピッチ方向と直交する方向で１列に配設されており、前記第２接続部の前記ピッチ方向の配列において、一方の列の前記信号コンタクトのペア、前記グランドコンタクト、他方の列の前記信号コンタクトのペア、前記グランドコンタクトの順に配列されていることを特徴とするコネクタであることを最も主要な特徴とする。
【発明の効果】
【００１０】
本発明のコネクタは、第２接続部のピッチ方向の配列において、一方の列の信号コンタクトのペア、グランドコンタクト、他方の列の信号コンタクトのペア、グランドコンタクトの順に配列されているので、高周波特性に対する性能を向上させることができるという利点がある。
【発明を実施するための最良の形態】
【００１１】
本発明のコネクタは、複数本の導電性のコンタクトと、該コンタクトを保持するインシュレータとを含み、接続対象物と接続するコネクタにおいて、前記コンタクトは、一方の接続対象物と接続し一端側に形成されている第１接続部と、他方の接続対象物と接続し他端側に形成されている第２接続部とを有し、前記コンタクトは、信号コンタクトとグランドコンタクトとからなり、該グランドコンタクトは一対の前記信号コンタクトをペアコンタクトとしたペアコンタクト間に配設されており、前記第１接続部は、前記コンタクトのピッチ方向と直交する方向で２列に配設されており、第２接続部は、前記コンタクトの前記ピッチ方向と直交する方向で１列に配設されており、前記第２接続部の前記ピッチ方向の配列において、一方の列の前記信号コンタクトのペア、前記グランドコンタクト、他方の列の前記信号コンタクトのペア、前記グランドコンタクトの順に配列したことにより実現した。
【実施例１】
【００１２】
以下に、図面を参照して本発明に係るコネクタの実施例１を説明する。図１は、本発明に係るコネクタの実施例１を示している。図２は、コネクタのコンタクトを示している。
【００１３】
図１及び図２を参照して、コネクタ１は、インシュレータ３と、インシュレータ３に保持されている複数本の導電性の信号コンタクト（コンタクト）１１と、複数本の信号コンタクト１１に組み合わされてインシュレータ３に保持されている複数本の導電性のグランドコンタクト（コンタクト）２１とを有している。
【００１４】
信号コンタクト１１は、図３にも示すように、保持部１２と、保持部１２の一端側から延設されている複数の第１信号接続部（第１接続部）１３と、保持部１２の他端側から延設されている複数の第２信号接続部（第２接続部）１５とを有する。
【００１５】
第１信号接続部１３は、信号コンタクト１１及びグランドコンタクト２１のピッチＰ方向（図２を参照）に複数本が間隔Ｇ（図３を参照）をもって１列づつがピッチＰ方向を直交する方向で２列に配設されている。第２信号接続部２５は信号コンタクト１１及びグランドコンタクト２１のピッチＰ方向（図２を参照）に複数本が間隔Ｇをもってピッチ方向Ｐで１列に配設されている。
【００１６】
グランドコンタクト２１は、図４にも示すように、グランド保持部２２と、グランド保持部２２の一端側でグランド保持部２２から延設されている複数の第１グランド接続部（第１接続部）２３と、グランド保持部２２をピッチＰ方向で互いに間隔をもって延設している中間部２７と、中間部２７からグランド保持部２２の他端側へ延設されている複数の第２グランド接続部（第２接続部）２５とを有する。複数のグランドコンタクト２１のそれぞれは中間部２７によって互いに連結されて一体化されている。
【００１７】
第１グランド接続部２３は、図４にも示すように、信号コンタクト１１及びグランドコンタクト２１のピッチＰ方向で互いに間隔をもって配設された１列づつがピッチＰ方向を直交する方向で２列に配設されている。第２グランド接続部２５は、信号コンタクト１１及びグランドコンタクト２１のピッチＰ方向（図２を参照）で１列に配設されている。
【００１８】
図５は、信号コンタクト１１の信号ラインと、グランドコンタクト２１のグランドラインとを示している。なお、図５は、信号ライン及びグランドラインの概略を説明しているものであり、図２及び図３に示した信号コンタクト１１の本数と、グランドコンタクト２１の本数は異なっている。
【００１９】
図５をも参照して、グランドコンタクト２１は、一対の信号コンタクト１１をペアコンタクトとしたペアコンタクト間に配設されている。即ち、一対の信号コンタクト１１をペアコンタクトとしたペアコンタクト間には、第１グランドコンタクト２１の第１グランド接続部２３、グランド保持部２２及び第２グランド接続部２５を配設するようにピッチＰ方向の隙間を持っている。
【００２０】
グランドコンタクト２１の第１グランド接続部２３と第２グランド接続部２５とは、信号コンタクト１１及びグランドコンタクト２１のピッチＰ方向（図２を参照）のピッチＰ方向において、ずれて配置している。
【００２１】
図２に示したように、上側の１列の第１信号接続部１３と第１グランド接続部２３とのピッチＰ方向の１列の配列は、右側から信号コンタクト１１の第１信号接続部１３のペア、第１グランド接続部２３、第１信号接続部１３のペア、第１グランド接続部２３の順となっている。
【００２２】
下側の１列の第１信号接続部１３と第１グランド接続部２３とのピッチＰ方向の１列の配列は、右側から第１グランド接続部２３、信号コンタクト１１の第１信号接続部１３のペア、第１グランド接続部２３の順となっている。
【００２３】
第１グランド接続部１５及び第２グランド接続部２５のピッチＰ方向の配列は、図２の紙面の右側からグランドコンタクト２１の第２グランド接続部２５、信号コンタクト１１のペアである第２信号接続部１５、第２グランド接続部２５の順に配列されている。
【００２４】
図２に示した信号コンタクト１１とグランドコンタクト２１との組み合わせでは、第１信号接続部１３と第１グランド接続部２３との間のピッチＰは同一となり、第２信号接続部１５と第２グランド接続部２５との間のピッチＰは同一となる。
【００２５】
なお、第１信号接続部１３と第２信号接続部１５のピッチＰは同一でなくてもよく、第１グランド接続部１５と第２グランド接続部２５のピッチＰは、必ずしも同一でなくてもよい。なお、図２において、左側の２列における４本の信号コンタクト１１は、一般（低速）用コンタクトである。
【００２６】
図６は、図１に示したコネクタ１を背面から見た状態を示している。図７は、コネクタ１と、コネクタ１に嵌合する前の第１相手コネクタ（接続対象物）と、第２相手コネクタ（接続対象物）とを示している。
【００２７】
図１、図６及び図７を参照して、コネクタ１の前面には、２つの第１相手コネクタ４１，４２を嵌合させる第１嵌合部５，６が形成されている。第１嵌合部５、６には、図２に示した信号コンタクト１１の第１信号接続部１３と、グランドコンタクト２１の第１グランド接続部２３とが位置している。
【００２８】
一方の第１相手コネクタ４１には、第１相手嵌合部４４が形成されており、他方の第１相手コネクタ４２には、第１相手嵌合部４５が形成されている。第１相手嵌合部４４には第１相手接続部４７が位置している。第１相手嵌合部４５には第１相手接続部４８が位置している。第１相手接続部４７，４８は、第１信号接続部１３及び第１グランド接続部２３に一対一に対応して接続して、信号の伝送とグランドするために必要な本数を有する。
【００２９】
図６及び図７を参照して、コネクタ１の背面には、第２相手コネクタ５１を嵌合させる第２嵌合部７が形成されている。第２嵌合部７には、信号コンタクト１１の第２信号接続部１５と、グランドコンタクト２１の第２グランド接続部２５とが位置している。
【００３０】
第２相手コネクタ５１には、第２相手嵌合部５３が形成されており、第２相手嵌合部５３に第２相手接続部５５が位置している。第２相手接続部５５は、第２信号接続部１５及び第２グランド接続部２５に一対一に対応して接続し、信号の伝送とグランドするために必要な本数を有する。
【００３１】
コネクタ１の第１嵌合部５、６に第１相手コネクタ４１，４２の第１相手嵌合部４４，４５が嵌合したときには、２列の信号コンタクト１１の第１信号接続部１３とグランドコンタクト２１の第１グランド接続部２３のそれぞれに第１相手接続部４７，４８が接続する。
【００３２】
コネクタ１の第２嵌合部７に第２相手コネクタ５１の第２相手嵌合部５３が嵌合したときには、１列の信号コンタクト１１の第２信号接続部１５とグランドコンタクト２１の第２グランド接続部２５のそれぞれに第２相手接続部５３が接続する。
【００３３】
図８は、グランドコンタクト２１の変形例を示している。この変形例において、図４に示したグランドコンタクト２１と異なる部分は、中間部２７の部分であるため、図４のグランドコンタクト２１と同じ部分には同じ符号を付して説明を省略する。
【００３４】
図８を参照して、中間部２７は、ピッチＰ方向の一端部が分割されている。中間部２７の一端部のそれぞれには、フランジ部２９ａ，２９ｂが形成されている。フランジ部２９ａ，２９ｂは互いに合され結合されている。
【実施例２】
【００３５】
図９は、コネクタの実施例２を示している。図９におけるコネクタ１００は、図７によって説明した２つの第１相手コネクタ４１，４２に代わる第１サブ基板（接続対象物）１１３及び第２サブ基板（接続対象物）１１５と、図７によって説明した第２相手コネクタ５１に代わるメイン基板（接続対象物）１１７とを接続するものである。
【００３６】
なお、コンタクトは、図２乃至図４によって説明した信号コンタクト１１とグランドコンタクト２１と組み合わせ構成や機能がほぼ同じであるため、図２乃至図４をも参照して同じ部分には同じ符号を付して説明する。
【００３７】
図９とともに図２乃至図４を参照して、コネクタ１００は、インシュレータ１０３と、インシュレータ１０３に保持されている信号コンタクト１１と、グランドコンタクト２１とを有する。
【００３８】
インシュレータ１０３は、メイン基板１１７に実装される。インシュレータ１０３の一面には、第１サブ基板１１３を嵌合させる第１嵌合部１０５と、第２サブ基板１１５を嵌合させる第２嵌合部１０６が形成されている。第１嵌合部１０５には、一方の列の信号コンタクト１１の第１信号接続部１３と、グランドコンタクト２１の第１グランド接続部２３とが位置している。第１サブ基板１１３には、第１信号接続部１３及び第１グランド接続部２３に一対一に対応して信号を伝送しかつグランド接続する導電パターンを有する。
【００３９】
第２嵌合部１０６には、もう一方の列の信号コンタクト１１の第１信号接続部１３と、グランドコンタクト２１の第１グランド接続部２３とが位置している。第２サブ基板１１５には、第１信号接続部１３及び第１グランド接続部２３に一対一に対応して信号を伝送しかつグランド接続する導電パターンを有する。
【００４０】
第１嵌合部１０５に第１サブ基板１０５が嵌合し、第２嵌合部１０６に第２サブ基板１０６が嵌合したときには、第１及び第２嵌合部１０５，１０６に位置している第１信号接続部１３及び第１グランド接続部２３に、第１及び第２サブ基板１１３，１１５の導電パターンが一対一に接続する。
【００４１】
信号コンタクト１１の第２信号接続部１５と、グランドコンタクト２１の第２グランド接続部２５とは、インシュレータ１０３の内側から外へ導出されている。第２信号接続部１５と第２グランド接続部２５とは、メイン基板１１７に設けられている導電パターンに一対一に対応して信号を伝送しかつグランド接続する。
【産業上の利用可能性】
【００４２】
本発明は、１つの情報信号を差動信号として２本の信号線を用いて伝送する方式いわゆる差動伝送方式の信号回路の接続に用いる高周波用コネクタの用途としても適用できる。
【図面の簡単な説明】
【００４３】
【図１】本発明に係るコネクタを前面で斜めに見た状態を示す斜視図である（実施例１）。
【図２】図１に示したコネクタのコンタクトを示す斜視図である。
【図３】図２に示した信号コンタクトを示す斜視図である。
【図４】図２に示したグランドコンタクトを示す斜視図である。
【図５】図２に示したコネクタの信号ライン及びグランドラインを概略構成で示した構成図である。
【図６】図１に示したコネクタを背面から見た状態を示した斜視図である。
【図７】図１に示したコネクタと、このコネクタに嵌合する接続対象物とを概略構成を示した断面図である。
【図８】図１に示したグランドコンタクトの変形例を示した斜視図である。
【図９】本発明に係るコネクタの実施例２を示す断面図である。
【符号の説明】
【００４４】
１，１００    コネクタ
３，１０３    インシュレータ
５，６，１０５    第１嵌合部
７，１０６    第２嵌合部
１１    信号コンタクト（コンタクト）
１３    第１信号接続部（第１接続部）
１５    第２信号接続部（第２接続部）
２１    グランドコンタクト（コンタクト）
２３    第１グランド接続部（第１接続部）
２５    第２グランド接続部（第２接続部）
２７    中間部
２９ａ，２９ｂ    フランジ部
４１，４２    第１相手コネクタ
４４，４５    第１相手嵌合部
４７，４８    第１相手接続部
５１    第２相手コネクタ
５３    第２相手嵌合部
５５    第２相手接続部
１１３    第１サブ基板（接続対象物）
１１５    第２サブ基板（接続対象物）
１１７    メイン基板（接続対象物）
Ｇ    間隔
Ｐ    ピッチ
【図１】
2006120345.tif 000003
【図２】
2006120345.tif 000004
【図３】
2006120345.tif 000005
【図４】
2006120345.tif 000006
【図５】
2006120345.tif 000007
【図６】
2006120345.tif 000008
【図７】
2006120345.tif 000009
【図８】
2006120345.tif 000010
【図９】
2006120345.tif 000011